(57)【要約】【課題】デジタル録音図書を迅速且つ安価にユーザに提供することができ、またこのような図書を再生するための視聴機本体をユーザ側で用意する必要が無く、ユーザ側の負担を軽減したデジタル録音図書の配信システム及び方法を提供する。【解決手段】文章情報を音声で再生可能なデジタル録音図書データを予め記憶した記憶手段２０と、公衆回線網１０に接続され、公衆回線網１０から入力される電話機１４のトーン信号に基づいて、記憶手段２０内のデジタル録音図書データを、電話機１４に対して音声データとして送信するように制御する制御手段１８とを有するＣＴＩサーバ１２を備えることを特徴とする。【選択図】　　　　図１
2004040706.tif 000002
【特許請求の範囲】
【請求項１】
文章情報を音声で再生可能なデジタル録音図書データを予め記憶した記憶手段と、
公衆回線網に接続され、該公衆回線網から入力される電話機のトーン信号に基づいて、前記記憶手段内のデジタル録音図書データを、前記電話機に対して音声データとして送信するように制御する制御手段とを有するＣＴＩサーバを備えることを特徴とする電話によるデジタル録音図書の配信システム。
【請求項２】
公衆回線網に接続された電話機と、
文章情報を音声で再生可能なデジタル録音図書データを予め記憶した記憶手段と、公衆回線網に接続され、該公衆回線網から入力される前記電話機のトーン信号に基づいて、前記記憶手段内のデジタル録音図書データを、前記電話機に対して音声データとして送信するように制御する制御手段とを有するＣＴＩサーバとを備えることを特徴とする電話によるデジタル録音図書の配信システム。
【請求項３】
ユーザが、公衆回線網に接続された電話機から、文章情報を音声で再生可能なデジタル録音図書データを予め記憶した記憶手段を有するＣＴＩサーバへ電話をかけるステップと、
該電話機からの電話を受けたＣＴＩサーバが、該電話機に対して音声ガイダンスを送信するステップと、
ユーザが、該音声ガイダンスに基づいてプッシュボタンを押下し、メニュー選択を行なうステップと、
ＣＴＩサーバが、該ユーザのプッシュボタンの押下により送信されてきたトーン信号に基づいて選択されたメニューを動作し、該選択されたメニューの音声ガイダンスを送信するステップと、
ユーザが、該選択したメニューの音声ガイダンスに基づいてプッシュボタンを押下し、デジタル録音図書データの再生動作を行なうステップと、
ＣＴＩサーバが、該ユーザのプッシュボタンの押下により送信されてきたトーン信号に基づいて選択されたデジタル録音図書データの再生動作を行なうステップとを含むことを特徴とする電話によるデジタル録音図書の配信方法。
【発明の詳細な説明】
【０００１】
【発明の属する技術分野】
本発明は、ＤＡＩＳＹ規格等のデジタル形式の音声で図書の内容が録音されたデジタル録音図書を、電話機から聴くことができる、電話によるデジタル録音図書の配信システム及び方法に関する。
【０００２】
【従来の技術】
目の不自由な人たちが読書を楽しむことが出来るように、本に記載されている文章情報を音声でデジタル録音したＤＡＩＳＹ（Ｄｉｇｉｔａｌ　　Ａｃｃｅｓｓｉｂｌｅ　　Ｉｎｆｏｒｍａｔｉｏｎ　ＳＹｓｔｅｍ）規格によるデジタル録音図書が従来から知られている。
かかるＤＡＩＳＹ規格によるデジタル録音図書は、ＣＤ（Ｃｏｍｐａｃｔ　　Ｄｉｓｃ）などの記録媒体に録音され、ユーザが所有しているＣＤを聴くことにより、図書を音声で楽しむことができるのである。
このようなＤＡＩＳＹ規格によるデジタル録音図書は、かつてのカセットテープなどの録音図書とは異なり、章ごとやページごとに迅速な検索が可能であり、非常に利用しやすいものとなっている。
【０００３】
【発明が解決しようとする課題】
上述したようなＣＤ等に録音されたデジタル録音図書を使用したいと欲するユーザは、店舗に出向いてこのようなデジタル録音図書を購入するかあるいは通信販売で購入する必要がある。
しかし、従来はこのような方法でしかデジタル録音図書を入手できなかったので、特に目が不自由なユーザにあっては欲しい図書を購入するためにわざわざ店に出向いたり、通信販売等で注文をするのは非常に手間がかかる作業であるという課題があった。
【０００４】
また、ＣＤ等のメディアを発送する場合にあっては、梱包したり発送したりする手間、およびメディアそのもののコストなどがあって、デジタル録音図書自体が高額なものとなり、デジタル録音図書を入手するにはユーザにとっては大きな負担となっているという課題があった。
さらに、ＣＤ等のメディアを発送する場合にあっては、ユーザが聴きたいと欲してから注文し、発送することとなるので、ユーザが待つ時間が必要であり、ユーザの要求に迅速に答えることが要求されているという課題があった。
【０００５】
さらに、このようなＣＤ等のメディアを再生可能な視聴機（再生装置）を入手しなくては再生ができなかったので、ユーザにとって金銭的に大きな負担となっていた。また視聴機が図書館等でレンタルされるものであるとしても、それを借りるためには結局図書館等へ出向かなくてはならなかった。
【０００６】
すなわち、本発明は上記課題を解決すべくなされ、その目的とするところは、デジタル録音図書を迅速且つ安価にユーザに提供することができ、またこのような図書を再生するための視聴機本体をユーザ側で用意する必要が無く、ユーザ側の負担を軽減したデジタル録音図書の配信システム及び方法を提供することにある。
【０００７】
【課題を解決するための手段】
すなわち、本発明にかかる電話によるデジタル録音図書の配信システムによれば、文章情報を音声で再生可能なデジタル録音図書データを予め記憶した記憶手段と、公衆回線網に接続され、該公衆回線網から入力される電話機のトーン信号に基づいて、前記記憶手段内のデジタル録音図書データを、前記電話機に対して音声データとして送信するように制御する制御手段とを有するＣＴＩサーバを備えることを特徴としている。
この構成を採用することによって、電話機からＣＴＩサーバを直接操作してＣＴＩサーバ内のデジタル録音図書を直接電話機から聴くことができる。このため、デジタル録音図書を聴こうとするユーザは、デジタル録音図書を迅速且つ容易に入手可能であり、また視聴機も入手しなくともユーザが従来から通常所有している設備でデジタル録音図書を楽しむことができる。
【０００８】
また、公衆回線網に接続された電話機と、文章情報を音声で再生可能なデジタル録音図書データを予め記憶した記憶手段と、公衆回線網に接続され、該公衆回線網から入力される前記電話機のトーン信号に基づいて、前記記憶手段内のデジタル録音図書データを、前記電話機に対して音声データとして送信するように制御する制御手段とを有するＣＴＩサーバとを備えることを特徴とする。
この構成によっても、電話機からＣＴＩサーバを直接操作してＣＴＩサーバ内のデジタル録音図書を直接電話機から聴くことができる。このため、デジタル録音図書を聴こうとするユーザは、デジタル録音図書を迅速且つ容易に入手可能であり、また視聴機も入手しなくともユーザが従来から通常所有している設備でデジタル録音図書を楽しむことができる。
【０００９】
電話によるデジタル録音図書の配信方法によれば、ユーザが、公衆回線網に接続された電話機から、文章情報を音声で再生可能なデジタル録音図書データを予め記憶した記憶手段を有するＣＴＩサーバへ電話をかけるステップと、該電話機からの電話を受けたＣＴＩサーバが、該電話機に対して音声ガイダンスを送信するステップと、ユーザが、該音声ガイダンスに基づいてプッシュボタンを押下し、メニュー選択を行なうステップと、ＣＴＩサーバが、該ユーザのプッシュボタンの押下により送信されてきたトーン信号に基づいて選択されたメニューを動作し、該選択されたメニューの音声ガイダンスを送信するステップと、ユーザが、該選択したメニューの音声ガイダンスに基づいてプッシュボタンを押下し、デジタル録音図書データの再生動作を行なうステップと、ＣＴＩサーバが、該ユーザのプッシュボタンの押下により送信されてきたトーン信号に基づいて選択されたデジタル録音図書データの再生動作を行なうステップとを含むことを特徴としている。
【００１０】
このような方法によれば、デジタル録音図書を聴こうとするユーザは、公衆回線に接続されている電話機を操作し、ＣＴＩサーバに記憶されているデジタル録音図書を電話機で再生することができる。再生動作も電話機で操作することができる。
【００１１】
【発明の実施の形態】
まず、本発明のシステムの全体構成について図１に基づいて説明する。
本実施形態によるデジタル録音図書配信システムでは、公衆回線１０に接続されたＣＴＩサーバ１２、公衆回線１０に接続されているユーザの所有する電話機１４とから構成されている。
図１で細い矢印はトーン信号等の各信号、太い矢印はデータの流れを示している。
【００１２】
なお、ここでは電話機１４は１台しか記載していないが、本システムを利用しようとするユーザの数だけ公衆回線１０に接続されているものとする。
電話機１４としては、プッシュ回線に接続されたプッシュホン式の電話機である必要がある。プッシュホンのプッシュボタンを操作することで動作指示をＣＴＩサーバに向けて、トーン信号によって行なうためである。
また、電話機１４は、オンフック状態で相手方の音声がスピーカから出力されるような構造になっているものが好ましい。送信されてきたデジタル音声図書を受話器をおいて聴くことができるようにするためである。
【００１３】
ＣＴＩサーバ１２について説明する。
ＣＴＩ（Ｃｏｍｐｕｔｅｒ　Ｔｅｌｅｐｈｏｎｙ　Ｉｎｔｅｇｒａｔｉｏｎ）サーバ１２は、公衆回線１０に接続され、トーン信号をサーバ内の制御手段１８への信号へ変換可能なＣＴＩボード１６と、ＣＴＩボード１６に接続され、ＣＴＩボード１６で変換されたトーン信号に基づいてユーザの電話機１４に対してデジタル録音図書の再生動作について制御する制御手段１８と、デジタル録音図書が複数記憶されているハードディスクドライブ等の記憶手段２０と、該記憶手段２０のデジタル録音図書を再生する再生手段２２とを備えている。
【００１４】
ＣＴＩボード１６は、サーバシステムと公衆回線とを接続して統合するためにサーバシステムのインターフェイスボードとして取付けられている。これによりサーバシステムがＣＴＩサーバ１２として構成される。
制御手段１８は、ＣＰＵ等の処理装置１１とハードディスクやＲＯＭ等のメモリ１３とを有し、処理装置１１が予めメモリ１３等に記憶されていた制御プログラムを読み出し、該制御プログラムに基づいてＣＴＩサーバ全体の動作を統括制御する。また、制御手段１８内のメモリ１３内には、電話機１４に対して操作を指示する音声ガイダンス用の音声（後述する接続用音声ガイダンスを含む）が予め記憶されている。制御手段１８は、動作に応じてメモリ１３内から対応する音声ガイダンス用の音声を抽出して電話機１４へ送信するようにする。
【００１５】
再生手段２２は、デジタルデータを音声データに再生する再生ソフトウェアである。再生ソフトウェアは予めハードディスク等の記憶手段（図示せず）内に記憶されている。再生手段２２は、記憶手段２０内に記憶されていたデジタルデータを、制御手段の指示（コマンド）に基づいて読み出し、これをＰＣＭデータとして制御手段１８へ出力するように設けられている。
【００１６】
なお、上述した制御手段１８の動作と、電話機１４の操作方法を合わせて、図２に示す状態遷移図に基づいて説明する。
制御手段１８に電話機１４が接続されると（起動処理（ａ））、メニュー選択モード（ｂ）に入り、案内用の音声ガイダンス機能が作動し、メニューのガイダンスを音声で電話機１４に送信する。
次に、制御手段１８は、音声ガイダンスに基づいて電話機１４から入力されたトーン信号によって、該当する動作メニューを選択して作動する。選択される動作メニューの中には、メニュー選択、音量／速度調整、ホームポジションの３つがある。
【００１７】
メニュー選択モード（ｂ）における電話機１４の操作について説明すると、「０」〜「９」までの各ボタンが所定のデジタル録音図書への直接ジャンプであり、「＊」ボタンが入力数字のキャンセルまたはメニューのガイダンスへの復帰である。
「＃」ボタンは入力数字の確定およびメニュー選択実行である。その他、２つ以上の所定のボタンを同時に押すことによって、速度や音量調節等のセットアップモード（ｅ）へ移行することができる。
【００１８】
セットアップモード（ｅ）は、電話機１４側で速度調整と音量調整を行なうモードであり、制御手段１８は、入力してきたトーン信号に基づいて電話機１４へ送信する音声信号の速度または音量を調整する。
セットアップモード（ｅ）における電話機１４の操作について説明すると、「１」と「３」ボタンが速度調整であり、「４」と「６」ボタンが音量調整である。各ボタンを１回押す毎に所定の速度または音量が増加または減少する。
【００１９】
メニュー選択モード（ｂ）において、ユーザによって各ボタンが押されて所定のデジタル録音図書への直接ジャンプが行なわれると、制御手段１８は十字モード（ｃ）に移行し、選択されたデジタル録音図書の再生動作の制御を行なう。
制御手段１８への再生動作の指示は、電話機１４のプッシュボタンの操作により入力されるトーン信号である。
【００２０】
十字モード（ｃ）における、電話機１４の操作の例を説明する。
まず、「２」、「４」、「６」および「８」ボタンがナビゲーションであり、それぞれ、前の見出しに戻る、次ぎの見出しへ進む、上の階層へ移動、下の階層へ移動などの各動作を指示する。
「５」ボタンが現在再生位置の見出しを再生し、「０」ボタンが停止／再生を交互に行なう。「７」と「９」ボタンがそれぞれ、１つ前または先のフレーズへ巻き戻しまたは早送りを行い、「１」と「３」ボタンはそれぞれ再生中は速度調整、停止中は音量調整を行なう。
その他に、「＊」を２回おすことでメニュー選択モード（ｂ）へ戻り、「＃」ボタンがページモード（ｄ）へ移行する動作を行なう。
【００２１】
ページモード（ｄ）を説明する。
制御手段１８は、十字モード（ｃ）からページモード（ｄ）へ移行すると、選択されているデジタル録音図書のページを選択できる。ただし、ページが存在しないデジタル録音図書もあるので、かかるデジタル録音図書を選択している場合には、ページモード（ｄ）への移行はできない。
【００２２】
ページモード（ｄ）における電話機１４の操作の例について説明する。
「０」〜「９」ボタンがジャンプ先のページを直接指定することができる。
「＊」ボタンが入力数字のキャンセルまたはメニューのガイダンスへの復帰である。「＃」ボタンは入力数字の確定および選択したページへのジャンプ実行である。
【００２３】
なお、ユーザが各モード（ａ）〜（ｅ）を終了させるには、電話機１４をオフフックにする。オフフックすることによって電話機１４との接続が終了したことを検出した制御手段１８は、現在実施中の各モード（ａ）〜（ｅ）を終了させる終了処理（ｆ）を行なう。
【００２４】
このように、制御手段１８は、起動から各モード（ａ）〜（ｄ）に遷移することにより、操作するためのスイッチ、ボタン類が少ない通常の電話機１４からの入力によっても簡単な操作でデジタル録音図書の再生動作をすることができる。
【００２５】
以下、図３に基づいて、本発明によるデジタル録音図書の配信方法について説明する。なお、電話機１４の操作の詳細については上述したので、ここでは説明を省略する。
まずステップＳ１００では、ユーザが電話機１４を操作し、ＣＴＩサーバ１２へ電話をかける。
次のステップＳ２００で電話機１４から着信したＣＴＩサーバ１２は、ステップＳ２０２において接続してきた電話機１４に向けてＩＤおよびパスワードを入力するように促すための接続用音声ガイダンスを送信する。具体的には、着信を確認した制御手段１８が、メモリ１３内に予め記憶されている対応する接続用音声ガイダンスをメモリ１３内から抽出してＣＴＩボード１６を介して送信する。
【００２６】
ステップＳ１０２で、ＣＴＩサーバ１２から送信されてきたＩＤおよびパスワードを入力する接続用音声ガイダンスを聞いたユーザは、接続用音声ガイダンスの指示に従ってＩＤおよびパスワードを入力する。入力は電話機のプッシュボタンを押すことで行なわれる。
ＩＤおよびパスワードは、トーン信号としてＣＴＩサーバ１２に送信される。ＣＴＩサーバ１２の制御手段１８は、予めメモリ１３内に記憶してあるユーザ名と比較し、接続してきたユーザが正規のユーザであるかどうか確認する。
制御手段１８は、接続してきたユーザが正規に登録されたユーザであることを認識した場合には、ステップＳ２０４において、メモリ１３内に予め記憶してあった音声ガイダンスを電話機１４へ送信する。
【００２７】
ステップＳ１０４では、ユーザが音声ガイダンスに基づいて視聴の操作をする。この操作の具体的な例は、制御手段１８の動作および電話機１４の操作として上述したもの（図２に示す）ものと同様であるので、ここでは説明を省略する。ステップＳ２０６では、ＣＴＩサーバ１２の再生手段２２が入力したトーン信号に基づいてデジタル録音図書の再生動作を行なう。再生手段２２は、該当するデジタル録音図書を記憶手段２０から読み出し、音声として再生する。
再生されたデジタル録音図書は電話機１４へ送信され、ステップＳ１０６においてユーザが視聴する。
【００２８】
ステップＳ１０８では、所定のデジタル録音図書の視聴が終了したら、ユーザがデジタル録音図書の視聴を終了するか否かを判断している。終了する場合には電話機１４をオフフックにすればよい。終了しない場合にはステップＳ１０４へ戻って、別のデジタル録音図書の視聴を行なうべく電話機の操作をする。
【００２９】
以上本発明につき好適な実施例を挙げて種々説明したが、本発明はこの実施例に限定されるものではなく、発明の精神を逸脱しない範囲内で多くの改変を施し得るのはもちろんである。
【００３０】
【発明の効果】
本発明に係る電話によるデジタル録音図書の配信システムによれば、電話機からＣＴＩサーバを直接操作してＣＴＩサーバ内のデジタル録音図書を直接電話機から聴くことができるので、デジタル録音図書を聴こうとするユーザは、デジタル録音図書を迅速且つ容易に入手可能であり、また視聴機も入手しなくともユーザが従来から通常所有している設備でデジタル録音図書を楽しむことができる。
【００３１】
請求項２記載の電話によるデジタル録音図書の配信システムによれば、電話機からＣＴＩサーバを直接操作してＣＴＩサーバ内のデジタル録音図書を直接電話機から聴くことができる。このため、デジタル録音図書を聴こうとするユーザは、デジタル録音図書を迅速且つ容易に入手可能であり、また視聴機も入手しなくともユーザが従来から通常所有している設備でデジタル録音図書を楽しむことができる。
【００３２】
請求項３記載の電話によるデジタル録音図書の配信方法によれば、デジタル録音図書を聴こうとするユーザは、公衆回線に接続されている電話機を操作し、ＣＴＩサーバに記憶されているデジタル録音図書を電話機で再生することができる。再生動作も電話機で操作することができる。このため、デジタル録音図書を聴こうとするユーザは、デジタル録音図書を迅速且つ容易に入手可能であり、また視聴機も入手しなくともユーザが従来から通常所有している設備でデジタル録音図書を楽しむことができる。
【図面の簡単な説明】
【図１】本発明に係る電話によるデジタル録音図書配信システムの全体構成を示す説明図である。
【図２】ＣＴＩサーバの制御手段の動作および電話機の操作について説明する状態遷移図である。
【図３】本発明に係る電話によるデジタル録音図書の配信方法を示すフローチャートである。
【符号の説明】
１０　　公衆回線
１１　処理装置
１２　　ＣＴＩサーバ
１３　　メモリ
１４　　電話機
１６　　ＣＴＩボード
１８　　制御手段
２０　　記憶手段
２２　　再生手段
【図１】
2004040706.tif 000003
【図２】
2004040706.tif 000004
【図３】
2004040706.tif 000005